(57)【要約】【課題】後方領域において体液を良好に吸収及び拡散させることができ、漏れを防止することのできる吸収性物品を提供する。【解決手段】透液性の表面シートと、不透液性の裏面シートと、前記表面シートと前記裏面シートとの間に設けられた吸収体とを有する細長形状の本体を備えた吸収性物品であって、長手方向に延在する圧搾溝を備えており、前記の圧搾溝は、装着時に装着者の体液排出口に対応する領域を含む中央領域に設けられた一対の中央圧搾溝と、前記一対の中央圧搾溝の後方に設けられた一対の後方第１圧搾溝とを含み、前記後方第１圧搾溝の前端は、幅方向において、前記中央圧搾溝の後端より内側に位置し、長手方向において、前記中央圧搾溝の後端と同じ位置にあるか又はより後方に位置する。【選択図】図１
2019146630.tif 000002
【特許請求の範囲】
【請求項１】
透液性の表面シートと、不透液性の裏面シートと、前記表面シートと前記裏面シートとの間に設けられた吸収体とを有する細長形状の本体を備えた吸収性物品であって、
長手方向に延在する圧搾溝を備えており、
前記の圧搾溝は、装着時に装着者の体液排出口に対応する領域を含む中央領域に設けられた一対の中央圧搾溝と、前記一対の中央圧搾溝の後方に設けられた一対の後方第１圧搾溝とを含み、
前記後方第１圧搾溝の前端は、幅方向において、前記中央圧搾溝の後端より内側に位置し、長手方向において、前記中央圧搾溝の後端と同じ位置にあるか又はより後方に位置する、吸収性物品。
【請求項２】
前記一対の後方第１圧搾溝はそれぞれ、幅方向内側に凸に湾曲している、請求項１に記載の吸収性物品。
【請求項３】
長手方向に延びる中心線の各側において、前記中央圧搾溝の後端と、前記後方第１圧搾溝の前端との間の幅方向の間隔は、２〜１０ｍｍである、請求項１又は２に記載の吸収性物品。
【請求項４】
前記一対の後方第１圧搾溝間の幅方向の最小間隔は、７．５〜１５ｍｍである、請求項３に記載の吸収性物品。
【請求項５】
前記一対の後方第１圧搾溝の後端間の幅方向の間隔は、１０〜３５ｍｍである、請求項１から４のいずれか一項に記載の吸収性物品。
【請求項６】
前記一対の中央圧搾溝の後端はそれぞれ、幅方向内側に向かって湾曲している、請求項１から５のいずれか一項に記載の吸収性物品。
【請求項７】
一対の圧搾部が設けられており、前記各圧搾部は、前記一対の後方第１圧搾溝の側方にそれぞれ設けられている、請求項１から６のいずれか一項に記載の吸収性物品。
【発明の詳細な説明】
【技術分野】
【０００１】
本発明は、吸収性物品に関する。
【背景技術】
【０００２】
従来、生理用ナプキン、パンティライナー、失禁パッド等の吸収性物品として、表面シートと裏面シートとの間に吸収体が設けられてなる本体を備えたものが知られている。このような吸収性物品においては、身体の形に対応した吸収性物品の変形を容易にしたり、体液の移行をコントロールしたりするために、幅方向に間隔を置いて、長手方向に延びる圧搾溝を対で設けることが知られている。
【０００３】
例えば、特許文献１には、長手方向に延びる一対の第１圧搾溝と、この第１圧搾溝よりも幅方向外側に配置された一対の第２圧搾溝とを有する吸収性物品が開示されている。また、特許文献２には、縦方向に延びる中心線から左右両側に離れた位置に、第１の可撓軸及び第１の可撓軸の外側に間隔を空けた第２の可撓軸がそれぞれ縦方向に延びて形成された吸収性物品が開示されている。
【先行技術文献】
【特許文献】
【０００４】
【特許文献１】特許第５７６６２５４号公報
【特許文献２】特許第４１８０８６５号公報
【発明の概要】
【発明が解決しようとする課題】
【０００５】
吸収性物品においては、特に多めの体液の排出に対応しなければならない場合には、体液が直接排出される中央領域のみにおいて体液を吸収させるのではなく、体液を後方に移行させて後方領域でも吸収させて、後方領域の吸収体も利用することが好ましい。
【０００６】
上記の特許文献１、２に開示の構成では、長手方向に延びる圧搾溝に沿って、中央領域から後方へと体液を誘導しやすくなっている。しかしながら、圧搾溝は密度が高められた部分であるので、圧搾溝及びその両側の領域の吸収体の吸収容量（吸収できる体液の量）は、圧搾されていない領域に比べて低い。特許文献１、２に開示の構成では、このような圧搾溝が中央領域から後方の領域にわたって連続して延在しているので、後方に誘導されてきた体液を、後方の領域で十分に吸収及び拡散できない場合があった。このため、体液が中央領域から後方に継続してスムーズに移行できずに中央領域内に滞り、側方から漏れる可能性があった。
【０００７】
上記の点に鑑みて、本発明の一形態は、後方領域において体液を良好に吸収及び拡散させることができ、漏れを防止することのできる吸収性物品を提供することを課題とする。
【課題を解決するための手段】
【０００８】
本発明の第一の形態は、透液性の表面シートと、不透液性の裏面シートと、前記表面シートと前記裏面シートとの間に設けられた吸収体とを有する細長形状の本体を備えた吸収性物品であって、長手方向に延在する圧搾溝を備えており、前記の圧搾溝は、装着時に装着者の体液排出口に対応する領域を含む中央領域に設けられた一対の中央圧搾溝と、前記一対の中央圧搾溝の後方に設けられた一対の後方第１圧搾溝とを含み、前記後方第１圧搾溝の前端は、幅方向において、前記中央圧搾溝の後端より内側に位置し、長手方向において、前記中央圧搾溝の後端と同じ位置にあるか又はより後方に位置する。
【０００９】
上記第一の形態によれば、後方第１圧搾溝の前端が、中央圧搾溝の後端より幅方向内側に、且つ長手方向で見て中央圧搾溝の後端と同じ位置にあるか又はそれより後方に位置しているため、後方第１圧搾溝と中央圧搾溝とは不連続となっている。そのため、一対の中央圧搾溝に沿って後方に誘導されてきた体液を、一対の中央圧搾溝の後端から周辺に、少なくとも部分的に放射状に拡散させることができる。また、後方第１圧搾溝の前端が中央圧搾溝の後端の幅方向内側にあることで、一対の後方第１圧搾溝の前側方の領域を広くすることができ、その前側方の領域に体液を吸収させることができるので、後方領域の吸収体をより有効に利用することができる。さらに、後方第１圧搾溝と中央圧搾溝とは長手方向で重なっていないので、体液は中央圧搾溝の後端から周辺へとより一層拡散しやすくなる。このように、後方領域での体液の吸収及び拡散が良好に行われるので、中央圧搾溝からの体液の移行をよりスムーズに行うことができ、漏れ等を防止することができる。
【００１０】
本発明の第二の形態では、前記一対の後方第１圧搾溝はそれぞれ、幅方向内側に凸に湾曲している。
【００１１】
上記第二の形態によれば、各後方第１圧搾溝が内側に凸になるように湾曲している。これにより、装着時に吸収性物品を、後方に向かうにつれ徐々に深くなり再び浅くなる臀部の溝に適合した形状に変形させることができる。
【００１２】
上記第三の形態では、長手方向に延びる中心線の各側において、前記中央圧搾溝の後端と、前記後方第１圧搾溝の前端との間の幅方向の間隔は、２〜１０ｍｍである。
【００１３】
本発明の第三の形態によれば、中央圧搾溝の後端と、後方第１圧搾溝の前端との間の幅方向の間隔を所定の値としている。これにより、中央圧搾溝の後端から体液を拡散できる範囲を拡大して、体液の拡散及び吸収を促進できる一方、中央圧搾溝の後端から拡散した体液を後方第１圧搾溝が引き込むことができる間隔を確保することができる。
【００１４】
本発明の第四の形態では、前記一対の後方第１圧搾溝間の幅方向の最小間隔は、７．５〜１５ｍｍである。
【００１５】
上記第四の形態によれば、一対の後方第１圧搾溝間の幅方向の最小間隔を所定の値としている。これにより、一対の後方第１圧搾溝間の領域が臀部の溝により入り込みやすくなり、フィット性が高まる一方、後方第１圧搾溝同士が過度に近付くことにより本体が硬くなって装着感を損なうことを防止することができる。
【００１６】
本発明の第五の形態では、前記一対の後方第１圧搾溝の後端間の幅方向の間隔は、１０〜３５ｍｍである。
【００１７】
上記第五の形態によれば、一対の後方第１圧搾溝の後端間の幅方向の間隔を所定の値としている。これにより、後方第１圧搾溝同士が過度に近付くことにより本体が硬くなることを防止することができ、また後方第１圧搾溝に沿って誘導される体液が、後方において幅方向外側に広がり過ぎることを防止することができる。
【００１８】
本発明の第六の形態では、前記一対の中央圧搾溝の後端はそれぞれ、幅方向内側に向かって湾曲している。
【００１９】
上記第六の形態によれば、一対の中央圧搾溝の後端が幅方向内側に向かって湾曲しているため、中央領域から誘導されてきた体液を、中央圧搾溝の幅方向内側に位置する後方第１圧搾溝に伝えやすくなる。
【００２０】
本発明の第七の形態では、一対の圧搾部が設けられており、前記各圧搾部は、前記一対の後方第１圧搾溝の側方にそれぞれ設けられている、
【００２１】
上記第七の形態によれば、一対の圧搾部によって、一対の後方第１圧搾溝の幅方向外側の領域にコシを持たせることができる。そのため、吸収性物品の装着時に、一対の後方第１圧搾溝間の領域が盛り上がるように本体を変形させた場合に、上記変形を良好に維持することができる。
【発明の効果】
【００２２】
本発明の一形態によれば、後方領域において体液を良好に吸収及び拡散させることができ、漏れを防止することのできる吸収性物品を提供することができる。
【図面の簡単な説明】
【００２３】
【図１】本発明の一形態による吸収性物品の一部破断図である。
【図２】本発明の一形態による吸収性物品のＩ−Ｉ線断面図である。
【図３】本発明の一形態における後方領域での拡散の様子を示す拡大図である。
【図４】図１の吸収性物品の変形例を示す図である。
【図５】図１の吸収性物品の変形例を示す図である。
【発明を実施するための形態】
【００２４】
以下、本発明の実施の形態について図面を参照しながら説明する。なお、各図面において、特に説明がない限り、同一の又は対応する構成については同一の符号を付して説明を省略する場合がある。
【００２５】
図１に、本発明の一形態による吸収性物品１の一部破断図を示す。また、図２に、図１のＩ−Ｉ線断面を示す。図１、２に示すように、吸収性物品１は、不透液性の裏面シート２と、透液性の表面シート３と、これら両シート２、３間に設けられた吸収体４とを有する本体（吸収性物品本体）８とを備えている。吸収体４の形状保持等のために、吸収体４は、クレープ紙又は不織布等からなる被包シート５によって包まれていてもよい。吸収性物品１の使用時には、本体８の裏面シート２側がショーツ等に固定され、表面シート３側が肌側となるように装着する。
【００２６】
本体８は、全体としては、長手方向（図中の第１方向Ｄ１）に所定の長さを有し、長手方向と直交する幅方向（図中の第２方向Ｄ２）に所定の幅を有する細長い形状を有している。本体８の幅は、図示の例では略一定となっているが、長手方向Ｄ１にわたって変化していてもよい。吸収性物品１は、長手方向に延びる中心線（長手方向中心線）ＣＬに対し略線対称の形状及び構造を有していてよい。
【００２７】
また、吸収性物品本体８は、装着時に装着者の膣口等の体液排出口に対応する領域（体液排出口対応領域）３０を有しており、体液排出口対応領域３０は中心３０Ｑを有している。中心３０Ｑは、長手方向中心線ＣＬ上にあり、体液排出口対応領域３０の長手方向長さの中央に位置している。そして、吸収性物品１は、体液排出口対応領域３０を含む中央領域Ｍと、中央領域Ｍの前方にある前方領域Ｆと、中央領域Ｍの後方にある後方領域Ｒとを有する。中央領域Ｍは、その両側方から延びる、吸収性物品１を装着の際に下着に確実に固定するためのウィングＷ、Ｗを有していてよい。前方領域Ｆは、ウィングＷの前方の起点となる位置から前端縁までの領域であり、後方領域Ｒは、ウィングＷの後方の起点となる位置から後端縁までの領域とすることができる。また、ウィングＷ、Ｗが設けられている場合、体液排出口対応領域３０の中心３０Ｑは、長手方向で見て、ウィングＷ、Ｗの側方の端縁の長さの中点の位置、或いはウィングＷ、Ｗの前方の基点と後方の基点との中点に位置するものとすることができる。
【００２８】
図１においては、後方領域Ｒの長手方向Ｄ１の長さは、前方領域Ｆの長さよりも長くなっているが、本形態は、後方領域Ｒの長さと前方領域Ｆの長さとが同じになっていてもよい。
【００２９】
図示の形態では、吸収性物品１はウィングＷ、Ｗを有しているが、吸収性物品１はウィングＷ、Ｗのない形態とすることができる。その場合、ウィングＷ、Ｗが従来形成される位置にウィングＷ、Ｗを形成した場合に、ウィングＷ、Ｗ前方の起点となる位置から前方の領域を前方領域Ｆとし、ウィングＷ、Ｗの後方の起点となる位置から後方の領域を後方領域Ｒとすることができる。
【００３０】
後方領域Ｒは、装着時に装着者の股下部と臀部との境界付近から臀部後方にかけての部位に対応できる領域であり、臀裂が開始する位置及び肛門にも対向する領域といえる。後方領域Ｒの前端は、吸収性物品１の前端から１１０〜１７０ｍｍ程度後方に、体液排出口対応領域３０の中心３０Ｑから３０〜６０ｍｍ程度後方に位置し得る。
【００３１】
吸収性物品１の全長は、１７０〜３６０ｍｍであると好ましく、２３０〜２７０ｍｍであるとより好ましく、２４０〜２６０ｍｍであるとより好ましい。なお、後方領域Ｒの長手方向の長さは、７０〜２５０ｍｍとすることができる。
【００３２】
吸収体４の前方及び後方の端縁部では裏面シート２と表面シート３との外縁がホットメルト等の接着剤やヒートシール、超音波シール等の接着手段によって接合されている。また、吸収体４の側方においては、表面シート３側の両側部に長手方向Ｄ１に沿って設けられたサイド不織布７、７と、裏面シート２とが上記接着手段によって接合されており、これにより上述のウィングＷ、Ｗが形成されていてよい。
【００３３】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００３４】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法のうち、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維等の複合繊維を用いることができる。
【００３５】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（ｓｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００３６】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維等の複合繊維も用いることができる。なお、疎水性繊維を親水化剤で表面処理し、体液に対する親和性を付与したものを用いることもできる。
【００３７】
吸収体４の厚みは、０．５〜２５ｍｍの範囲内とすることができ、１．５〜６．５ｍｍの範囲であると好ましい。吸収体４は、前面にわたり均一な厚みを有していなくともよく、体液排出口対応領域５０及びその付近の領域、また後方領域の幅方向中央部分を膨出させた構造とすることもできる。また、吸収体４は、積繊又はエアレイド法によって製造されたものが好ましい。
【００３８】
サイド不織布７としては、撥水処理不織布又は親水処理不織布を使用することができる。例えば、経血やおりもの等が浸透するのを防止する効果又は肌触り感を高める場合は、シリコン系、パラフィン系の撥水剤等をコーティングした撥水処理不織布を用いることが好ましい。また、ウィングＷにおける経血等の吸収性を高める場合には、不織布の材料として、親水処理された不織布を用いることが好ましい。不織布の種類としては、折り癖が付きにくく、シワになりにくく柔らかいエアスルー不織布が好ましい。
【００３９】
本形態の吸収性物品１の本体には、複数の圧搾溝（圧縮溝、エンボスともいう）が設けられている。この圧搾溝は、表面シート３から裏面シート２側に窪む溝として形成されたものである。圧搾溝は、平面視で、吸収性物品１の長手方向中心線ＣＬを対称線とする線対称に形成されていてよい。圧搾溝は、吸収体４の上に表面シート３を積層させた積層体を、一対の加圧ロールの間に通過させることによって形成することができる。例えば、積層体の表面シート３側及び吸収体４側に、凸状のロール及び平坦なロールが配置されるようにして、両ロールから加圧することができる。
【００４０】
図１に示すように、本形態の吸収性物品１は、中央領域Ｍにおいて、長手方向中心線ＣＬの両側に、互いに幅方向に間隔を空けて、長手方向に延在する一対の中央圧搾溝１０、１０を有している。さらに、吸収性物品１は、後方領域Ｒにおいて、長手方向中心線ＣＬの両側に、互いに幅方向に間隔を空けて、長手方向に延在する一対の後方第１圧搾溝１１、１１を有している。一対の後方第１圧搾溝１１、１１は、後方領域Ｒの前半分の領域、例えば後方領域Ｒの前端から最大７０ｍｍまでの領域内に設けられていることが好ましい。図１に示すように、一対の後方第１圧搾溝１１、１１とその前方の一対の中央圧搾溝１０、１０とは、互いに連結されていない。
【００４１】
吸収性物品１の通常の使用においては、体液は、体液排出口対応領域３０を含む中央領域Ｍに直接的に排出される。中央領域Ｍにおいて受けとめられた体液の一部は、受けとめられた位置で表面シート３を通って吸収体に吸収されるが、一部は吸収体内を面方向に拡散して移行し得る。拡散の際、体液は、吸収体の密度が高くなっている一対の中央圧搾溝１０、１０に沿って長手方向Ｄ１に誘導され得る。
【００４２】
ここで、多量の体液が直接的に一気に排出され得る中央領域Ｍは、できるだけ速やかに圧搾溝に沿って後方へ体液を誘導させる構造になっていることが好ましい。一方、中央領域Ｍから拡散又は誘導されてきた体液が行き着く後方領域Ｒにおいては、吸収体によって体液を良好に吸収及び拡散できるようにすることが好ましい。後方領域Ｒにおける体液吸収量を多くできれば、中央領域Ｍから後方領域Ｒへの体液の継続的な移行がスムーズにでき、中央領域Ｍでの横漏れ等を防ぐことができるからである。
【００４３】
本形態では、図１に示すように、一対の中央圧搾溝１０、１０と一対の後方第１圧搾溝１１、１１とは、不連続になっている。そのため、一対の中央圧搾溝１０、１０に沿って後方に誘導されてきた体液は、一対の中央圧搾溝１０、１０の後端１０ｂ、１０ｂに達すると、後端１０ｂ、１０ｂからその周辺の領域に拡散することができる。
【００４４】
中央圧搾溝１０の後端１０ｂからの拡散について、図３を参照してより具体的に説明する。図３は、図１に示す吸収性物品１の中央領域Ｍの後方から後方領域Ｒの前方の範囲の一部を拡大した図である。図３に示すように、中央圧搾溝１０に沿って後方に誘導されてきた体液の少なくとも一部は、中央圧搾溝１０の後端１０ｂを中心として放射状に（図３に示す点線の部分同心円状に）拡散することができる。このような後方領域Ｒにおける放射状の体液の拡散は、例えば圧搾溝が中央領域Ｍから後方領域Ｒにかけて連続している従来の形態では起こり難いが、本形態による一対の中央圧搾溝１０、１０と一対の後方第１圧搾溝１１、１１との不連続な配置によって可能となった。このように、本形態によって、従来では適切に利用できていなかった後方領域Ｒの前側方の領域において体液を良好に吸収させることができるので、後方領域Ｒ全体の吸収体の吸収性能を上げることができる。
【００４５】
さらに、図３に示すように、中央圧搾溝１０の後端１０ｂから拡散された体液の一部は、近傍に位置している後方第１圧搾溝１１に引き込まれ得る。これにより、中央圧搾溝１０の後端１０ｂから拡散してきた体液を、後方第１圧搾溝１１に沿って、さらに後方に誘導させることができる。
【００４６】
図１及び図３に示すように、一対の後方第１圧搾溝１１、１１の前端１１ａ、１１ａは、幅方向Ｄ２において、一対の中央圧搾溝１０、１０の後端１０ｂ、１０ｂより内側に位置している。これにより、一対の後方第１圧搾溝１１、１１の前方の幅方向外側の領域、すなわち後方領域の前側方の領域を広くすることができる。これにより、体液を吸収できる領域を広げることができ、後方領域Ｒの吸収体をより有効に活用することができるので、後方領域Ｒ全体で吸収でより多くの体液を吸収させることができる。また、一対の後方第１圧搾溝１１、１１の前端１１ａ、１１ａの離間幅（後述の間隔ａ）を、一対の中央圧搾溝１０、１０間の後端１０ｂ、１０ｂの離間幅（後述の間隔ｄ）より狭くすることができるので、一対の後方第１圧搾溝１１、１１間の領域を、一対の中央圧搾溝１０、１０間の領域よりも鋭く盛り上げることができ、一対の後方第１圧搾溝１１、１１間の領域が臀部の溝に入り込みやすくなってフィット性が高まり、後方領域Ｒでの漏れも防止することができる。
【００４７】
さらに、図１及び図３に示すように、一対の後方第１圧搾溝１１、１１の前端１１ａ、１１ａは、長手方向Ｄ１において、一対の中央圧搾溝１０、１０の後端１０ｂ、１０ｂと同じ位置にあるか、又はそれより後方にある。つまり、一対の中央圧搾溝１０、１０と一対の後方第１圧搾溝１１、１１とは、長手方向で重なっていない。これにより、上述したような中央圧搾溝１０の後端１０ｂを中心とした体液の放射状の拡散を、後方第１圧搾溝１１が妨げる可能性を最小限に抑えることができる。
【００４８】
このように、一対の中央圧搾溝１０、１０と一対の後方第１圧搾溝１１、１１との上述の配置によって、中央圧搾溝１０及び後方第１圧搾溝１１が有する、体液を引き込んで長手方向に誘導する機能を維持しつつ、中央圧搾溝１０の後端１０ｂから周辺の吸収体に体液を拡散させることができる。これにより、従来の構成では活用され難かった後方領域の前側方の領域の吸収体の吸収機能を活用することができ、後方領域Ｒ全体としての吸収性能を上げることができる。よって、中央圧搾溝１０に沿って誘導される体液が中央領域Ｍにおいて滞ることなく、スムーズに後方に移行されるので、中央領域Ｍから後方への誘導をさらに促すことができ、中央領域Ｍでの横漏れ等を防止することができる。
【００４９】
一対の後方第１圧搾溝１１、１１は、長手方向に直線状に延在していても湾曲していてもよい。しかし、図１及び図３に示すように、一対の後方第１圧搾溝１１、１１がそれぞれ、幅方向内側に凸になるように湾曲している、すなわち、平面視で、一対の後方第１圧搾溝１１、１１が、長手方向Ｄ１で見て中央の位置が括れた形状を有していると好ましい。通常、臀部の溝は、股下部から長手方向後方に向かうにつれ徐々に深くなり、臀部後方に近付くと再び徐々に浅くなっていく。一対の後方第１圧搾溝１１、１１の上記の形状によって、臀部の溝の形状に適合するように、長手方向中心線ＣＬ付近が表面シート側（肌側）に盛り上がるように後方領域Ｒを変形させることができ、吸収性物品１のフィット性を向上させることができる。
【００５０】
なお、一対の後方第１圧搾溝１１、１１の凸形状の曲率半径は、２０〜５０ｍｍ程度であると好ましく、２５〜３５ｍｍ程度であるとより好ましい。このような範囲の曲率半径とすることで、装着時に後方領域Ｒを、臀部の溝により適合した形状に変形させることができる。
【００５１】
中央圧搾溝１０の後端１０ｂと、後方第１圧搾溝１１の前端１１ａとの間の幅方向の間隔ｅ（図１）は、２〜１０ｍｍであると好ましく、３〜８ｍｍであるとより好ましい。間隔ｅを２ｍｍ以上とすることで、中央圧搾溝１０の後端１０ｂから体液を拡散させることができる範囲を大きくすることができる。また、間隔ｅを１０ｍｍ以下とすることで、中央圧搾溝１０の後端１０ｂと後方第１圧搾溝１１の前端１１ａとが適度に近づいて、中央圧搾溝１０の後端１０ｂから拡散した体液を、後方第１圧搾溝１１へと良好に引き込むことができる。
【００５２】
上述のように一対の後方第１圧搾溝１１、１１がそれぞれ、平面視で、幅方向内側に凸の形状を有している場合、一対の後方第１圧搾溝１１、１１間の幅方向の間隔は、長手方向Ｄ１の中央付近で最小となり得る。一対の後方第１圧搾溝１１、１１間の幅方向Ｄ２の最小間隔ｂ（図１）は、７．５〜１５ｍｍであると好ましく、８〜１３ｍｍであるとより好ましい。間隔ｂを７．５ｍｍ以上とすることで、後方第１圧搾溝１１、１１同士が近づき過ぎることによって本体が硬くなり、装着感を損なうことを防止することができる。また、間隔ｂを１５ｍｍ以下とすることで、装着時に肌側が盛り上がるように本体を変形させた際に、一対の後方第１圧搾溝１１、１１間の領域が臀部の溝により入り込みやすくなり、フィット性を高めることができる。
【００５３】
一対の後方第１圧搾溝１１、１１の後端１１ｂ、１１ｂ間の幅方向の間隔ｃ（図１）は、８〜１８ｍｍであると好ましく、１０〜１３ｍｍであるとより好ましい。間隔ｃを１０ｍｍ以上とすることで、後方第１圧搾溝１１、１１同士が過度に近付いて、本体の剛性が過度に大きくなり、装着感を損なうことを防止することができる。また、間隔ｃを２０ｍｍ以下とすることで、後方第１圧搾溝１１に沿って体液が後方に誘導されてきた場合、後方第１圧搾溝１１の後方において、幅方向外側に広がり過ぎることを防止することができる。なお、間隔ｃは、吸収体４の幅（幅方向Ｄ２の長さ）の１／４以下とすることができる。
【００５４】
一対の後方第１圧搾溝１１、１１の前端１１ａ、１１ａ間の幅方向の間隔ａ（図１）は、一対の中央圧搾溝１０、１０の後端１０ｂ、１０ｂ間の幅方向の間隔ｄより小さくなっていれば特に限定されないが、１２〜２４ｍｍであると好ましく、１４〜２０ｍｍであるとより好ましい。間隔ａを１２ｍｍ以上とすることで、装着時に吸収性物品１を、臀部の溝に適合させて変形させることができる。また、２４ｍｍ以下とすることで、一対の後方第１圧搾溝１１、１１の前端１１ａ、１１ａ近くの幅方向外側の領域を広げることができ、中央圧搾溝１０の後端１０ｂからの体液が拡散する領域を大きくすることができる。なお、一対の後方第１圧搾溝１１、１１の前端１１ａ、１１ａ間の幅方向の間隔ａは、後端１１ｂ、１１ｂ間の幅方向の間隔ｃよりも大きくなっていてよい。これにより、装着時に吸収性物品１を、溝の深さがゆるやかに深くなる股下部の後方から臀部にかけての身体部位に適合して変形させることができる。
【００５５】
図示の形態では、一対の中央圧搾溝１０、１０の長手方向Ｄ１の長さは、中央領域Ｍの長手方向Ｄ１の長さより長くなっている。すなわち、一対の中央圧搾溝１０、１０は、中央領域Ｍの前端及び後端を越えて設けられている。しかし、一対の中央圧搾溝１０、１０の長さは、中央領域Ｍの長さと同等であってもよいし、一対の中央圧搾溝１０、１０は、中央領域Ｍ内の範囲に延在していてもよい。但し、一対の中央圧搾溝１０、１０の後端１０ｂ、１０ｂが中央領域Ｍを越えて後方領域Ｒにまで延びていると、上述の放射状の拡散が起こる基点となる後端１０ｂが後方領域Ｒに位置することができ、後方領域Ｒでの体液の吸収及び拡散を促進できるため、好ましい。
【００５６】
一対の中央圧搾溝１０、１０は、長手方向に沿って直線状に延在していてもよいし、少なくとも部分的に湾曲していてもよい。しかし、図１に示すように、一対の中央圧搾溝１０、１０の後端１０ｂ、１０ｂが、幅方向内側を向いている、すなわち幅方向内側向かって湾曲又は屈曲していると好ましい。これにより、上述のように後端１０ｂを基点として体液が放射状に拡散できる領域を、一対の中央圧搾溝１０、１０の幅方向外側により広く確保することができる。さらに、一対の中央圧搾溝１０、１０はそれぞれ、平面視で、幅方向外側に凸の形状を有していることが好ましい。
【００５７】
一対の中央圧搾溝１０、１０の後端１０ｂ、１０ｂ間の幅方向の間隔ｄ（図１）は、一対の後方第１圧搾溝１１、１１の前端１１ａ、１１ａ間の幅方向の間隔ａより大きいのであれば特に限定はされないが、１５〜４０ｍｍであると好ましく、２５〜３０ｍｍであるとより好ましい。なお、一対の中央圧搾溝１０、１０の後端１０ｂ、１０ｂ間の幅方向の間隔ｂは、前端１０ａ、１０ａ間の幅方向の間隔よりも小さくすることができる。
【００５８】
図１に示すように、吸収性物品１は、圧搾溝として、一対の後方第１圧搾溝１１、１１の後方に配置された一対の後方第２圧搾溝１２、１２を有していてよい。図示のように、この一対の後方第２圧搾溝１２、１２は、幅方向の間隔が後方に向かって漸次大きくなる部分を含んでいてよい。
【００５９】
図示の形態では、一対の後方第２圧搾溝１２、１２は互いに連結されていないが、前方及び後方の少なくとも一方で、互いに連結されていてもよい。また、一対の後方第２圧搾溝１２、１２の形状は、全体として逆ハート形状になっているが、形状はこれに限られず、逆三角形、滴形状等であってもよい。
【００６０】
一対の後方第２圧搾溝１２、１２の前端１２ａ、１２ａは、幅方向Ｄ２において、一対の後方第１圧搾溝１１、１１の後端１１ｂ、１１ｂより幅方向内側に位置していることが好ましい。これにより、体液が中央圧搾溝１０から、後方第１圧搾溝１１を経て後方へ誘導されてきた場合に、後方第１圧搾溝１１の後端１１ｂに達した体液が、後端１１ｂから、上述の中央圧搾溝１０の後端１０ｂからの拡散（図３）と同様に少なくとも部分的に放射状に拡散することができ、その領域を幅方向外側へ広げることができる。よって、例えば多量の体液が排出された場合でも、後方領域Ｒの吸収体を有効に利用でき、中央領域Ｍでの漏れ等を防止することができる。
【００６１】
図４に、吸収性物品１の変形例を示す。図４の形態では、一対の臀部溝フィット用圧搾部２０、２０が形成されている点で、図１の形態と異なる。この一対の臀部溝フィット用圧搾部２０、２０のそれぞれは、一対の後方第１圧搾溝１１、１１の側方にそれぞれ形成されている。
【００６２】
装着時に吸収性物品１を身体の形状に沿って変形させた場合、後方第１圧搾溝１１、１１が折られて、後方第１圧搾溝１１、１１間の領域が肌方向に盛り上がり、臀部の溝に入り込むようになる。本形態では、後方第１圧搾溝１１、１１間の間隔が比較的狭く、後方第１圧搾溝１１、１１の両側方の領域が大きくなっているため、後方第１圧搾溝１１、１１の両側方の領域の剛性が小さい。よって、上記のように後方第１圧搾溝１１、１１間の領域を盛り上げるように吸収性物品１を変形させた際、特に使用者が動いた場合等には、後方第１圧搾溝１１、１１の両側方の領域がヨレて、その影響が、一対の後方第１圧搾溝１１、１１間の領域にも及ぼされ、適切に臀部の溝に適合しなくなる場合がある。
【００６３】
これに対し、一対の臀部溝フィット用圧搾部２０、２０が設けられていることで、後方第１圧搾溝１１、１１の両側方にコシを持たせることができるので、上記のような後方領域Ｒの変形の際にも、上述の後方第１圧搾溝１１、１１間の領域が盛り上がった形状を良好に維持することができる。
【００６４】
図４の形態では、臀部溝フィット用圧搾部２０は、閉じた円形の圧搾溝となっているが、臀部溝フィット用圧搾部２０の形態はこれに限られない。臀部溝フィット用圧搾部２０は、円形でなく、楕円形、多角形等の閉じた又は一部が開いた圧搾溝であってもよい。また、所定の面積を有する円形、楕円形、多角形等の圧搾部であってもよい。
【００６５】
後方第１圧搾溝１１両側方に、臀部溝フィット用圧搾部２０が設けられている範囲及び位置は、上述の中央圧搾溝１０の後端１０ｂからの体液の拡散を妨げないのであれば、特に限定されない。臀部溝フィット用圧搾部２０が設けられている範囲は、長手方向Ｄ１において５〜３０ｍｍ程度であってよく、幅方向Ｄ２において５〜２５ｍｍ程度であってよい。また、臀部溝フィット用圧搾部２０は、後方第１圧搾溝１１の前端１１ａを前方に越えて形成されていないことが好ましく、後方第１圧搾溝１１の前端１１ａより長手方向Ｄ１に３ｍｍ以上後方に形成されていることが好ましい。
【００６６】
図５に、図４の一対の臀部溝フィット用圧搾部２０、２０の変形例である一対の臀部溝フィット用２０Ａ、２０Ａを備えた吸収性物品１を示す。臀部溝フィット用圧搾部２０Ａは、閉じた円形の圧搾溝が２つ重なり合い、２つの円形からそれぞれ外側に突出する部分を有する形状を有する。また、臀部溝フィット用圧搾部２０Ａの形状は、楕円形、多角形等が複数重なり合ったような形状とすることができる。さらに、臀部溝フィット用圧搾部は、花、星、ハート等のモチーフからなる形状であってもよい。
【００６７】
本形態による吸収性物品１は、後方領域Ｒにおける吸収体を活用できるものであるので、比較的多量の体液が一気に排出される場合、また断続的であっても体液が多数回排出され、排出される体液の合計量が多いような場合に、好適に用いることができる。また、吸収体量の少ないスリムタイプの吸収性物品、特に生理用ナプキンとして好適に用いることができる。
【符号の説明】
【００６８】
１  吸収性物品
２  裏面シート
３  表面シート
４  吸収体
５  被包シート
７  サイド不織布
８  本体（吸収性物品本体）
１０  中央圧搾溝
１０ａ  中央圧搾溝の前端
１０ｂ  中央圧搾溝の後端
１１  後方第１圧搾溝
１１ａ  後方第１圧搾溝の前端
１１ｂ  後方第１圧搾溝の後端
１２  後方第２圧搾溝
１２ａ  後方第２圧搾溝の前端
２０、２０Ａ  臀部溝フィット用圧搾部
３０  体液排出口対応領域
３０Ｑ  体液排出口対応領域の中心
ＣＬ  長手方向中心線
Ｆ  前方領域
Ｍ  中央領域
Ｒ  後方領域
Ｄ１  第１方向（長手方向）
Ｄ２  第２方向（幅方向）
Ｗ  ウィング
【図１】
2019146630.tif 000003
【図２】
2019146630.tif 000004
【図３】
2019146630.tif 000005
【図４】
2019146630.tif 000006
【図５】
2019146630.tif 000007